(57)【特許請求の範囲】
【請求項１】
吊り下げ部を有する吊り下げ部材と、衣服の左右の肩部分に各別に挿通されて、当該衣服を吊り下げ支持可能な一対の肩支持部をハンガー幅方向に互いに間隔を隔てて有するハンガー本体とを備え、
前記吊り下げ部材が、前記吊り下げ部がハンガー幅方向中央部に配置されるように前記ハンガー本体に取り付けられ、
前記吊り下げ部と前記ハンガー本体との間に、人体の首部が首径方向からハンガー幅方向中央部に入り込み可能な空隙部が配置され、
前記吊り下げ部材は、前記一対の肩支持部のうちの一方の肩支持部の側から前記空隙部を囲む湾曲形状に形成されて、前記一対の肩支持部の間から突出する片持ち状に前記ハンガー本体に取り付けられ、
前記ハンガー本体が、前記一対の肩支持部のハンガー幅方向中央側端部どうしを一体に連結する連結部を有し、
前記連結部の前記空隙部の側に臨む縁部分が、前記吊り下げ部から離れる側に凹入する形状に形成されている衣服用ハンガー。
【請求項２】
前記吊り下げ部材は、ハンガー幅方中心位置よりも前記一方の肩支持部の側から突出する片持ち状に前記ハンガー本体に取り付けられている請求項１記載の衣服用ハンガー。
【発明の詳細な説明】
【技術分野】
【０００１】
本発明は、ハンガー幅方向中央部に配置された吊り下げ部と、衣服の左右の肩部分に各別に挿通されて、当該衣服を吊り下げ支持可能な一対の肩支持部をハンガー幅方向に互いに間隔を隔てて有するハンガー本体とを備えた衣服用ハンガーに関する。
【背景技術】
【０００２】
従来の上記衣服用ハンガーでは、例えばフックなどの吊り下げ部をハンガー本体のハンガー幅方向中央部に取り付けてある。
このため、ハンガーに吊り下げ支持してある衣服の実際に着用した時の印象を簡易に確認するために、ハンガーに吊り下げ支持したままの衣服を左右の肩部分が人体の左右の肩の前面側に沿うように当て付けようとすると、吊り下げ部が顔面に当たり易く、ハンガーに吊り下げ支持したままの衣服を左右の肩部分が人体の左右の肩の前面側に沿うように当て付け難い問題がある。
この問題を解決するために、従来、ハンガーに吊り下げ支持したままの衣服を左右の肩部分が人体の左右の肩の前面側に沿うように当て付けても、吊り下げ部が顔面に当たり難い衣服用ハンガーが提案されている（例えば、特許文献１，２参照）。
特許文献１には、吊り下げ部をハンガー本体の上方に突出する突出姿勢とハンガー本体の側に引退する引退姿勢とに姿勢変更自在に取り付けてある衣服用ハンガーが開示され、衣服を吊り下げ支持してあるハンガーをハンガー掛けなどに掛けておくときは、吊り下げ部の姿勢を突出姿勢に姿勢変更することができ、ハンガーに吊り下げ支持したままの衣服を左右の肩部分が人体の左右の肩の前面側に沿うように当て付けるときは、吊り下げ部が顔面に当たらないように吊り下げ部の姿勢を引退姿勢に姿勢変更することができる。
特許文献２には、ハンガーに吊り下げ支持したままの衣服を左右の肩部分が人体の左右の肩の前面側に沿うように当て付けても吊り下げ部が顔面に当たらないように、吊り下げ部を顔面から遠ざかる側に傾斜する姿勢でハンガー本体のハンガー幅方向中央部に取り付けてある衣服用ハンガーが開示されている。
また、従来の上記衣服用ハンガーでは、吊り下げ部をハンガー本体のハンガー幅方向中央部に取り付けてあるので、吊り下げ部の取り付け位置を挟む左右の本体部分の長さが同じ長さになっている。
このため、ハンガー本体を襟口（人体の首部を囲む部分）から衣服の内側に入り込ませるために、一方の本体部分を襟口に差し込んだ後、他方の本体部分を襟口に差し込む際や、衣服の内側に入り込んでいるハンガー本体を襟口から取り出すために、一方の本体部分が衣服の内側に入り込んでいる状態で他方の本体部分を襟口から取り出す際に、吊り下げ部が襟口に引っ掛かって、襟口の形状が崩れ易い問題もある。
この問題を解決するために、特許文献３には、ハンガー本体を一方の肩支持部を有する本体部分と他方の肩支持部を有する本体部分とに分割し、これらの本体部分どうしをハンガー幅方向中央部で屈曲操作自在に連結して、ハンガー本体を衣服の襟口から出し入れする際には、吊り下げ部が襟口に引っ掛からないように、ハンガー本体を本体部分どうしが近接するように屈曲させて出し入れすることができる衣服用ハンガーが開示されている。
【先行技術文献】
【特許文献】
【０００３】
【特許文献１】登録実用新案第３１４８７２８号公報
【特許文献２】特開２００９−２７９４０７号公報
【特許文献３】特開２００８−２６４４７７号公報
【発明の概要】
【発明が解決しようとする課題】
【０００４】
しかしながら、上記従来の衣服用ハンガーでは、以下のような問題がある。
特許文献１に開示されている衣服用ハンガーは、吊り下げ部を可動部材として組み付けてあることから、部材点数が多くなると共に、その組み付けにも手間が掛かるかかるので、ハンガーの製造コストが高くなるおそれがある。
また、ハンガーに吊り下げ支持したままの衣服を左右の肩部分が人体の左右の肩の前面側に沿うように当て付けるときも、当て付けた後、その衣服を吊り下げ支持してあるハンガーを元のハンガー掛けなどに掛けておくときも、吊り下げ部の姿勢を変更する必要がある。
このため、ハンガーに吊り下げ支持してある衣服の実際に着用した時の印象を確認するに当たって、吊り下げ部の姿勢を変更するための操作が煩雑で、簡便に確認し難いおそれがある。
特許文献２に開示されている衣服用ハンガーは、吊り下げ部が顔面に当たらないように、吊り下げ部を顔面から遠ざかる側に傾斜する姿勢でハンガー本体のハンガー幅方向中央部に取り付けてあるので、ハンガーに吊り下げ支持したままの衣服を左右の肩部分が人体の左右の肩の前面側に沿うように当て付けると、顔面が吊り下げ部に遮られて、吊り下げ部が目障りになり、実際に着用した時の印象を的確に確認し難いおそれがある。
また、ハンガーに吊り下げ支持したままの衣服を左右の肩部分が人体の左右の肩の前面側に沿うように当て付けると、吊り下げ部が人体の顎部分に当たるおそれがあり、この点においても、実際に着用した時の印象を的確に確認し難いおそれがある。
特許文献３に開示されている衣服用ハンガーは、ハンガー本体を二つの本体部分に分割し、これらの本体部分どうしを屈曲操作自在に連結してあるために、部材点数が多くなると共に、その組み付けにも手間が掛かるかかるので、ハンガーの製造コストが高くなるおそれがある。
また、ハンガー本体を衣服の襟口から出し入れする際には、ハンガー本体を本体部分どうしが近接するように屈曲させる操作が必要で、操作が煩わしいおそれがある。
本発明は上記実情に鑑みてなされたものであって、第１の目的は、ハンガーに吊り下げ支持してある衣服の実際に着用した時の印象を簡便かつ的確に確認し易く、しかも、安いコストで製造し易い衣服用ハンガーを提供することにあり、第２の目的は、第１の目的に加えて、ハンガー本体を衣服の襟口から出し入れする際に襟口の形状を崩さないように出し入れし易い衣服用ハンガーを提供することにある。
【課題を解決するための手段】
【０００５】
本発明による衣服用ハンガーの第１特徴構成は、吊り下げ部を有する吊り下げ部材と、衣服の左右の肩部分に各別に挿通されて、当該衣服を吊り下げ支持可能な一対の肩支持部をハンガー幅方向に互いに間隔を隔てて有するハンガー本体とを備え、前記吊り下げ部材が、前記吊り下げ部がハンガー幅方向中央部に配置されるように前記ハンガー本体に取り付けられ、前記吊り下げ部と前記ハンガー本体との間に、人体の首部が首径方向からハンガー幅方向中央部に入り込み可能な空隙部が配置され、前記吊り下げ部材は、前記一対の肩支持部のうちの一方の肩支持部の側から前記空隙部を囲む湾曲形状に形成されて、前記一対の肩支持部の間から突出する片持ち状に前記ハンガー本体に取り付けられ、前記ハンガー本体が、前記一対の肩支持部のハンガー幅方向中央側端部どうしを一体に連結する連結部を有し、前記連結部の前記空隙部の側に臨む縁部分が、前記吊り下げ部から離れる側に凹入する形状に形成されている点にある。
【０００６】
本構成の衣服用ハンガーは、吊り下げ部を有する吊り下げ部材が、吊り下げ部がハンガー幅方向中央部に配置されるようにハンガー本体に取り付けられ、吊り下げ部とハンガー本体との間に、人体の首部が首径方向からハンガー幅方向中央部に入り込み可能な空隙部が配置され、吊り下げ部材は、一対の肩支持部のうちの一方の肩支持部の側から空隙部を囲む形状に形成されている。
このため、ハンガーに吊り下げ支持したままの衣服を左右の肩部分が人体の左右の肩の前面側に沿うように当て付けるにあたって、従来のような吊り下げ部を可動部材として設けるという製造コストが高くなるおそれがある構成を採用することなく、吊り下げ部とハンガー本体との間に配置された空隙部に人体の首部を首径方向から入り込ませるという簡単な操作で、吊り下げ部が顔面にも顎部分にも当たらないように、かつ、目障りにならないように、吊り下げ部を人体の背面側に回り込ませることができる。
また、吊り下げ部材は、一対の肩支持部の間から突出する片持ち状にハンガー本体に取り付けられているので、吊り下げ部を人体の背面側に回り込ませることができるようにしながら、肩部分に連続する袖部分を備えている衣服でも、左右の肩部分の夫々に肩支持部を挿通して吊り下げ支持することができる。
したがって、本構成の衣服用ハンガーであれば、ハンガーに吊り下げ支持してある衣服の実際に着用した時の印象を簡便かつ的確に確認し易く、しかも、安いコストで製造し易い。
【０００７】
さらに、本構成の衣服用ハンガーは、ハンガー本体が、一対の肩支持部のハンガー幅方向中央側端部どうしを一体に連結する連結部を有し、前記連結部の前記空隙部の側に臨む縁部分が、前記吊り下げ部から離れる側に凹入する形状に形成されている。
このため、空隙部に入り込ませた首部をハンガーに吊り下げてある衣服の襟部分に沿うようにハンガー本体の側に入り込ませ易く、ハンガーに吊り下げてある衣服の実際に着用した時の印象を一層的確に確認し易い。
【０００８】
本発明による衣服用ハンガーの第２特徴構成は、前記吊り下げ部材は、ハンガー幅方中心位置よりも前記一方の肩支持部の側から突出する片持ち状に前記ハンガー本体に取り付けられている点にある。
【０００９】
本構成であれば、ハンガー本体には、吊り下げ部材が突出している位置を挟んで、一方の肩支持部の側のハンガー幅方向の長さが短い本体部分と、他方の肩支持部の側のハンガー幅方向の長さが長い本体部分とが形成される。
このため、ハンガー本体を襟口から衣服の内側に入れる際には、ハンガー本体のうちの長い方の本体部分を襟口から内側に深く入り込ませた状態に保持して、短い方の本体部分を襟口に容易に入り込ませることができ、衣服の内側に入り込んでいるハンガー本体を襟口から取り出す際には、長い方の本体部分を衣服の内側に深く入り込ませた状態に保持して短い方の本体部分を襟口から取り出してから、長い方の本体部分を襟口から容易に取り出すことができる。
したがって、本構成の衣服用ハンガーであれば、従来のようなハンガー本体を二つの本体部分に分割してこれらの本体部分どうしを屈曲操作自在に連結するという、製造コストが高くなるうえにハンガー本体を衣服の襟口から出し入れする際に操作が煩わしくなるおそれがある構成を採用することなく、ハンガー本体を衣服の襟口から出し入れする際に襟口の形状を崩さないように簡便に出し入れし易い。
【図面の簡単な説明】
【００１０】
【図１】実施例１の衣服用ハンガーの正面図である。
【図２】実施例２の衣服用ハンガーの正面図である。
【図３】実施例３の衣服用ハンガーの正面図である。
【図４】実施例４の衣服用ハンガーの正面図である。
【発明を実施するための形態】
【００１１】
以下に本発明の実施の形態を図面に基づいて説明する。
【実施例１】
【００１２】
図１は、熱可塑性樹脂の射出成形で製造された本発明による衣服用ハンガーを示す。
衣服用ハンガーは、フック状の吊り下げ部１を有する吊り下げ部材２と、洋服などの衣服の左右の肩部分の内側に各別に挿通されて、当該衣服を吊り下げ支持可能な左右一対の肩支持部３ａ，３ｂをハンガー幅方向（肩支持部３ａ，３ｂが並ぶ方向）に互いに間隔を隔てて有するハンガー本体４とを上下に備えている。
【００１３】
吊り下げ部材２とハンガー本体４とを樹脂で一体成形して、吊り下げ部１がハンガー幅方向中央部に配置されるように、吊り下げ部材２がハンガー本体４に一体に固定して取り付けられている。
【００１４】
ハンガー本体４は、板状部分４ａと、板状部分４ａの外周部を環状に囲む鍔部分４ｂとを備え、一対の肩支持部３ａ，３ｂのハンガー幅方向中央側端部５ａ，５ｂどうしを一体に連結する連結部６を有する。
肩支持部３ａ，３ｂの夫々は、ハンガー幅方向外方側ほど低くなるように傾斜する肩支持面７を備えている。
【００１５】
ハンガー幅方向中央部に配置された吊り下げ部１とハンガー本体４との間に、人体の首部Ａが首径方向からハンガー幅方向中央部に入り込み可能な空隙部８が配置されている。
【００１６】
吊り下げ部材２は、一対の肩支持部３ａ，３ｂのうちの一方の肩支持部３ａの側から空隙部８を弧状に囲む湾曲状の形状に形成されて、一対の肩支持部３ａ，３ｂの間から突出する片持ち状にハンガー本体４に取り付けられている。
【００１７】
具体的には、吊り下げ部材２は、一対の肩支持部３ａ，３ｂの間のうちの、ハンガー幅方中心位置Ｃよりも吊り下げ部材２が空隙部８を囲んでいる側に位置している一方の肩支持部３ａの側から上向きに突出する片持ち状に、当該肩支持部３ａのハンガー幅方向中央側端部５ａに一体に固定して取り付けられている。
【００１８】
したがって、空隙部８は、ハンガー本体４のうちの他方の肩支持部３ｂの側において、吊り下げ部１とハンガー本体４との間を通して、首部Ａが首径方向からハンガー幅方向中央部に入り込み可能に形成してある。
【００１９】
吊り下げ部材２のうちの空隙部８の側に臨む内向き縁部分２ａが、空隙部８を弧状に囲む湾曲状の形状に形成され、連結部６のうちの空隙部８の側に臨む上向き縁部分６ａが、吊り下げ部１から離れる側に弧状に凹入する湾曲状の形状に形成されている。
吊り下げ部材２の内向き縁部分２ａと連結部６の上向き縁部分６ａは、空隙部８を一連の弧状に囲む湾曲状の形状となるように連続している。
【００２０】
吊り下げ部材２の先端部分をハンガー本体４から離れる側に凹入するフック状に形成して、ハンガー掛けなどに掛ける吊り下げ部１を吊り下げ部材２に一体に設けてある。
尚、吊り下げ部材２をハンガー幅方向の一側方に片寄らせて配設してあるので、ハンガー本体４を略水平に吊り下げることができるように、吊り下げ部１をハンガー幅方向中心位置Ｃよりも一側方（吊り下げ部材２が空隙部８を囲んでいる側）に片寄らせたハンガー幅方向中央部に配置してあるが、ハンガー幅方向中心位置Ｃに配置してあってもよい。
【実施例２】
【００２１】
図２は、本発明による衣服用ハンガーの別実施例を示す。
本実施例では、吊り下げ部材２が屈曲部２ｂを備えた湾曲状の形状に形成され、連結部６の上向き縁部分６ａが屈曲部６ｂを備えた湾曲状の形状に形成されている。
その他の構成は実施例１と同様である。
【実施例３】
【００２２】
図３は、本発明による衣服用ハンガーの別実施例を示す。
本実施例では、吊り下げ部材２とハンガー本体４とが一連の軸状部材を屈曲させた形状で一連に形成されている。
【００２３】
一対の肩支持部３ａ，３ｂは、ハンガー幅方向外方側端部どうしが肩支持部３ａ，３ｂの下側に回り込むように配設した連結軸部９で互いに連結されている。
吊り下げ部材２は、一対の肩支持部３ａ，３ｂのうちの一方の肩支持部３ａのハンガー幅方向中央側端部５ａから上方に突出する片持ち状に延設してある。
【００２４】
本実施例では、一対の肩支持部３ａ，３ｂのハンガー幅方向中央側端部５ａ，５ｂどうしが連結されていないので、空隙部８に入り込ませた首部Ａを、一対の肩支持部３ａ，３ｂどうしの間を通して、ハンガーに吊り下げ支持したままの衣服の襟部分に沿うようにハンガー本体４の側に入り込ませ易い。
その他の構成は実施例１と同様である。
【実施例４】
【００２５】
図４は、本発明による衣服用ハンガーの別実施例を示す。
本実施例では、空隙部８を弧状に囲む湾曲状の形状に形成された吊り下げ部材２が、一対の肩支持部３ａ，３ｂの間のうちのハンガー幅方向中心位置Ｃから上向きに突出する片持ち状に、ハンガー本体４の連結部６に上下方向の軸芯Ｘの周りで回動操作自在に取り付けられている。
尚、吊り下げ部材２は、ハンガー本体４の連結部６に一体に固定して取り付けられていてもよい。
その他の構成は実施例１と同様である。
【実施例５】
【００２６】
１．本発明による衣服用ハンガーは、第１〜第３実施例において、吊り下げ部材が、ハンガー本体に対して上下方向の軸芯の周りで回動操作自在に取り付けられていてもよい。
２．本発明による衣服用ハンガーは、吊り下げ部材が、吊り下げ部材とは別に製作したフックなどの吊り下げ部を有していてもよい。
この場合、吊り下げ部は吊り下げ部材に対して上下方向の軸芯の周りで回動操作自在に設けてあってもよい。
３．本発明による衣服用ハンガーは、吊り下げ部を、片持ち姿勢で固定されたハンガー吊り下げ用軸部材が挿通されるリング状に形成してあってもよい。
４．本発明による衣服用ハンガーは、全部又は一部を樹脂材料或いは木質材料或いは金属材料で形成してあってもよい。
【符号の説明】
【００２７】
１ 吊り下げ部
２ 吊り下げ部材
３ａ，３ｂ 肩支持部
４ ハンガー本体
６ 連結部
６ａ 縁部分
８ 空隙部
Ａ 首部
Ｃ ハンガー幅方中心位置
【図１】
0005544590.tif 000002
【図２】
0005544590.tif 000003
【図３】
0005544590.tif 000004
【図４】
0005544590.tif 000005